(57)【要約】【課題】ドア駆動モータとして永久磁石形同期電動機を用いた車両用ドア装置において、非常時にドアを容易に開けられるようにする。【解決手段】電力変換器４から給電される永久磁石形同期電動機２で駆動される引戸式のドア１と、このドアを閉位置で機械的にロックする施錠装置８と、この施錠装置８を非常時に手動操作で解錠する手動解錠装置１３とを備えた車両用ドア装置において、電力変換器４から永久磁石形同期電動機２に給電する給電回路５を開閉する電磁接触器６を設け、手動解錠装置１３が操作されたことを解錠検知スイッチ１６で検知したら、電磁接触器６をオフして給電回路５を開路する。これにより、ドア１を手で開けて永久磁石形同期電動機２を回しても発電制動が生じなくなり、ドア１を手で容易に開けられるようになる。【選択図】  図１
2006299549.tif 000002
【特許請求の範囲】
【請求項１】
電力変換器から給電される永久磁石形同期電動機で駆動される引戸式のドアと、このドアを閉位置で機械的にロックする施錠装置と、この施錠装置を非常時に手動操作で解錠する手動解錠装置とを備えた車両用ドア装置において、
前記電力変換器から前記永久磁石形同期電動機に給電する給電回路を開閉する手段と、前記手動解錠装置が操作されたことを検知する手段と、この検知手段により前記手動解錠装置が操作されたことを検知したら、前記開閉手段により前記給電回路を開路する制御手段とを設けたことを特徴とする車両用ドア装置。
【発明の詳細な説明】
【技術分野】
【０００１】
この発明は、永久磁石形同期電動機で駆動される引戸式のドアを有する車両用ドア装置に関する。
【背景技術】
【０００２】
車両ドアは運行中には絶対に開いてはならないが、非常時には手動で容易に開く必要がある。そのため、従来一般に車両用ドア装置には、ドア閉止状態でドアを機械的にロックする鎖錠装置が設けられる一方、非常時には手動操作により鎖錠装置を解錠する手動解錠装置が設けられている。この種の車両用ドア装置については、例えば特許文献１に記載されている。
【特許文献１】特開２００３−２３７５６８号公報
【発明の開示】
【発明が解決しようとする課題】
【０００３】
ところで、従来、車両のドア駆動モータとして永久磁石形同期電動機を用い、この永久磁石形同期電動機に電力変換器（インバータ）から可変周波数の電力を供給してドアの開閉及び速度制御を行うものがある。その場合、手動解錠装置でドアロックを解錠してドアを手動で動かそうとすると、永久磁石形同期電動機が発電機となり、それとつながっている電力変換器や電源に対し電力を回生する発電制動がかかる。そのため、永久磁石形同期電動機に連結されたドアを手動で開ける際には、通常の摩擦力以外に発電制動に対抗する力が必要となり、かつこの発電制動力はドアを急いで開けようとするほど大きくなるという問題があった。
【０００４】
そこで、この発明の課題は、ドア駆動モータとして永久磁石形同期電動機を用いた車両用ドア装置において、非常時にドアを容易に開けられるようにすることにある。
【課題を解決するための手段】
【０００５】
上記課題を解決するために、この発明は、電力変換器から給電される永久磁石形同期電動機で駆動される引戸式のドアと、このドアを閉位置で機械的にロックする施錠装置と、この施錠装置を非常時に手動操作で解錠する手動解錠装置とを備えた車両用ドア装置において、前記電力変換器から前記永久磁石形同期電動機に給電する給電回路を開閉する手段と、前記解錠装置が操作されたことを検知する手段と、この検知手段により前記解錠装置が操作されたことを検知したら、前記開閉手段により前記給電回路を開路する制御手段とを設けるものとする。
【０００６】
従来一般に、車両用ドア装置において、電力変換器から永久磁石形同期電動機に給電する場合、電力の供給／遮断は給電回路の開閉によらず、電力変換器の出力を制御して行っている。そのため、電力供給が途絶えたドア閉止状態においても電力変換器と永久磁石形同期電動機との間の給電回路は形成されたままであり、その結果としてドアを手で開けて永久磁石形同期電動機を回すと発電制動が生じる。そこで、この発明は、非常解錠装置を操作した場合のみ、これを検知して開閉手段で給電回路を開路するものである。これにより、永久磁石形同期電動機の回生回路が絶たれ、発電制動が生じなくなる。
【発明の効果】
【０００７】
この発明によれば、非常時に手動解錠装置でドアロックを解除し、ドアを手で開ける場合に摩擦力のみしか生じないので、ドアを開けて脱出することが容易である。また、従来、車両運行中に何らかの要因でドアが開いたことを検知すると、モータにドア閉方向の駆動力を与えて乗客が車外に出ないようにするものがあるが、その場合にも手動解錠装置の操作時には給電回路が開路されるため、モータに駆動力が与えられることがない。
【発明を実施するための最良の形態】
【０００８】
以下、図１〜図３に基づいて、この発明の実施の形態を説明する。ここで、図１は車両用ドア装置のシステム構成図、図２は図１における施錠装置部分の拡大図、図３は図２における手動解錠装置を操作した状態の図である。図１において、引戸式のドア１は図示しないレールにより、図１の左右方向に走行可能に吊り下げ支持され、永久磁石形同期電動機２により開閉駆動される。電源３の直流電力は電力変換器（インバータ）４により可変周波数の３相交流に変換され、給電回路５を介して永久磁石形同期電動機２に供給される。給電回路５には電路の開閉手段としての電磁接触器６が挿入されている。電磁接触器６の操作電磁石６ａは操作回路７を介して電源３により励磁され、接点６ａは常時はオンしている。
【０００９】
図２において、ドア１は施錠装置８により閉止状態に施錠されている。施錠装置８は、車両側に昇降可能に案内支持されたロックピン９、ドア側に固定されたロックバー１０、解錠用ソレノイド１１、ロックピン９の昇降を検知する解錠検知スイッチ１２等からなり、ロックバー１０には上下方向に貫通するロックホール１０ａが設けられている。ロックピン９は図示しないスプリングにより常時下向きに付勢され、図示施錠状態においてロックピン９はロックホール１０ａに嵌入してドア１をロックしている。
【００１０】
平常時においてドア開指令があると、図示しない制御装置は解錠用ソレノイド１１を付勢してロックピン９を持ち上げる。これにより、ロックピン９はロックホール１０ａから抜け出しドアロックが解除され、同時に解錠検知スイッチ１２から解錠信号が送出される。そこで、この解錠信号を待って、制御装置は永久磁石形同期電動機２を駆動しドア１を開く。
【００１１】
一方、図２において、非常時の脱出のために手動解錠装置１３が設けられている。手動解錠装置１３は、車両側にピン１４を支点に回動可能に支持された非常ハンドル１５、非常ハンドル１５が操作されたことを検知する手動解錠検知スイッチ１６等からなっている。手動解錠検知スイッチ１６の図示しない接点は操作回路７（図１）に挿入され、この接点は図２の施錠状態においてオンされている。
【００１２】
図２の施錠状態において、非常事態が発生した場合、非常ハンドル１５を図３に示す直立位置まで矢印方向に回動させると、ロックピン９が図示の通り持ち上げられる。これにより、ドア１の機械的ロックが解除され、ドア１は手動で開けられるようになる。同時に、手動解錠検知スイッチ１６の接点がオフされる。その結果、電磁接触器６の操作回路７が開路され、操作電磁石６ａの励磁が解かれて電磁接触器６の接点６ｂがオフする。これにより、給電回路５が開路され、永久磁石形同期電動機２は電力変換器４から電気的に切り離される。従って、ドア１を手動で開けることにより永久磁石形同期電動機２が回されても発電制動はかからず、ドア１は容易に開けることが可能である。
【図面の簡単な説明】
【００１３】
【図１】この発明の実施の形態を示す車両用ドア装置のシステム構成図である。
【図２】図１における施錠装置部分の拡大図である。
【図３】図２における手動解錠装置を操作した状態を示す図である。
【符号の説明】
【００１４】
１    ドア
２    永久磁石形同期電動機
３    電源
４    電力変換器
５    給電回路
６    電磁接触器
６ａ  電磁接触器の操作電磁石
６ｂ  電磁接触器の接点
７    電磁接触器の操作回路
８    施錠装置
９    ロックピン
１０ａ  ロックホール
１１    解錠用ソレノイド
１２    解錠検知スイッチ
１３    手動解錠装置
１５    非常ハンドル
１６    手動解錠検知スイッチ
【図１】
2006299549.tif 000003
【図２】
2006299549.tif 000004
【図３】
2006299549.tif 000005